(57)【特許請求の範囲】
【請求項１】
エラー訂正符号によってエラー訂正符号化されたデータが記録される領域を有し、
上記エラー訂正符号によって訂正処理を行ったときに訂正不能となるデータと上記エラー訂正符号による訂正処理を行ったときに訂正不能とならないデータとが所定のパターンで記録されており、
上記訂正不能となるデータは、上記エラー訂正符号とは異なる更なるエラー訂正符号によってエラー訂正符号化されているデータである
ことを特徴とする記録媒体。
【請求項２】
上記訂正不能とならないデータは、上記エラー訂正符号によるエラー訂正処理でも、上記更なるエラー訂正符号によるエラー訂正処理でも復号可能なデータである請求項１に記載の記録媒体。
【請求項３】
上記エラー訂正符号と上記更なるエラー訂正符号は、少なくとも２方向の符号化系列に符号化を行うものであって、且つ上記符号化系列のみ異なる符号であり、上記訂正不能とならないデータは、上記２方向の符号化系列のうちの一方向の符号化系列を単位として所定のデータが繰り返されるデータである請求項２に記載の記録媒体。
【請求項４】
上記エラー訂正符号と上記更なるエラー訂正符号は、垂直方向のＣ１系列と斜め方向のＣ２系列に符号化を行う符号であって、且つインターリーブ長が異なる符号であり、上記訂正エラーとならないデータは、上記Ｃ１系列を単位として所定のデータが繰り返されるものである請求項２に記載の記録媒体。
【請求項５】
上記訂正エラーとならないデータは、上記Ｃ１系列エラーが含まれている請求項４に記載の記録媒体。
【請求項６】
上記訂正不能となるデータと上記訂正不能とならないデータとが上記所定のパターンとなるように記録された部分は、上位ビットがすべて同じ値となるように記録されている請求項１に記載の記録媒体。
【請求項７】
上記訂正不能となるデータと上記訂正不能とならないデータとが上記所定のパターンとなるように記録された部分は、再生時に可聴帯域の音となるようなデータが記録されている請求項１に記載の記録媒体。
【請求項８】
上記訂正不能となるデータと上記訂正不能とならないデータとが上記所定のパターンとなるように記録された部分は、０（ゼロ）のデータと１のデータとが所定の周期で繰り返して記録されている請求項７に記載の記録媒体。
【請求項９】
上記訂正不能となるデータと上記訂正不能とならないデータとが上記所定のパターンとなるように記録された部分は、上記記録媒体の識別に用いられる請求項１に記載の記録媒体。
【請求項１０】
上記訂正不能となるデータと上記訂正不能とならないデータとが上記所定のパターンとなるように記録された部分は、上記記録媒体がオリジナルの記録媒体であるか否かの判別に用いられる請求項１に記載の記録媒体。
【請求項１１】
エラー訂正符号によってエラー訂正符号化されたデータを記録媒体の記録領域に記録し、
上記エラー訂正符号によって訂正処理を行ったときに訂正不能となるデータと上記エラー訂正符号による訂正処理を行ったときに訂正不能とならないデータとを所定のパターンで上記記録媒体の所定の位置に記録し、
上記訂正不能となるデータは、上記エラー訂正符号とは異なる更なるエラー訂正符号によってエラー訂正符号化されているデータである
ことを特徴とする記録方法。
【請求項１２】
上記訂正不能とならないデータは、上記エラー訂正符号によるエラー訂正処理でも、上記更なるエラー訂正符号によるエラー訂正処理でも復号可能なデータである請求項１１に記載の記録方法。
【請求項１３】
上記エラー訂正符号と上記更なるエラー訂正符号は、少なくとも２方向の符号化系列に符号化を行うものであって、且つ上記符号化系列のみ異なる符号であり、上記訂正不能とならないデータは、上記２方向の符号化系列のうちの一方向の符号化系列を単位として所定のデータが繰り返されるデータである請求項１２に記載の記録方法。
【請求項１４】
上記エラー訂正符号と上記更なるエラー訂正符号は、垂直方向のＣ１系列と斜め方向のＣ２系列に符号化を行う符号であって、且つインターリーブ長が異なる符号であり、上記訂正エラーとならないデータは、上記Ｃ１系列を単位として所定のデータが繰り返されるものである請求項１２に記載の記録方法。
【請求項１５】
上記訂正エラーとならないデータは、上記Ｃ１系列エラーが含まれている請求項１４に記載の記録方法。
【請求項１６】
上記方法は、上記訂正不能となるデータと上記訂正不能とならないデータとが上記所定のパターンとなるように記録された部分は、上位ビットがすべて同じ値のデータが記録されている請求項１１に記載の記録方法。
【請求項１７】
上記方法は、再生時に可聴帯域の音となるようなデータを記録することによって上記訂正不能となるデータと上記訂正不能とならないデータとによる上記所定のパターンを形成する請求項１１に記載の記録方法。
【請求項１８】
上記方法は、０のデータと１のデータとを所定の周期で繰り返して記録することによって上記訂正不能となるデータと上記訂正不能とならないデータとによる上記所定のパターンを形成する請求項１７に記載の記録方法。
【請求項１９】
記録媒体に記録を行う記録部と、
入力されたデータに第１のエラー訂正符号によってエラー訂正符号化処理を施すエラー訂正符号化処理部と、
上記エラー訂正符号化処理部からの出力データとの変調処理を施して上記記録部に出力する変調処理部と、
上記第１のエラー訂正符号と上記第１のエラー訂正符号とは異なる第２のエラー訂正符号のいずれの符号によっても復号可能なデータを生成し、上記エラー訂正処理回路部に供給するデータ生成部と
を備えた記録媒体の記録装置。
【請求項２０】
上記装置は、上記記録媒体に上記入力データが上記エラー訂正処理回路部に供給された結果得られる上記エラー訂正処理回路部からの出力データに基づくデータと上記データ生成部からの出力データが上記エラー訂正処理回路部に供給された結果得られる上記エラー訂正処理回路部からの出力データに基づくデータとによる所定のパターンを記録する請求項１９に記載の記録媒体の記録装置。
【請求項２１】
上記第１のエラー訂正符号と上記第２のエラー訂正符号は、少なくとも２方向の符号化系列に符号化を行うものであって、且つ上記符号化系列のみ異なる符号である請求項１９に記載の記録媒体の記録装置。
【請求項２２】
上記第１のエラー訂正符号と上記第２のエラー訂正符号は、垂直方向のＣ１系列と斜め方向のＣ２系列に符号化を行う符号であって、且つインターリーブ長が異なる符号である請求項１９に記載の記録媒体の記録装置。
【請求項２３】
記録媒体に記録されているデータを読み出すヘッド部と、
上記ヘッド部からの出力信号に復調処理を施す復調処理部と、
上記復調処理部からの出力データのエラー訂正処理を行うエラー訂正処理部と、
上記エラー訂正処理部によるエラー訂正処理の結果、訂正不能なエラーとなるデータと訂正不能なエラーとならないデータのパターンが所定のパターンであるか否かによって判別を行う判別部とを備え、
上記訂正不能なエラーとなるデータは、上記エラー訂正処理の訂正符号とは異なる更なるエラー訂正符号によってエラー訂正符号化されているデータである
ことを特徴とする記録媒体の再生装置。
【請求項２４】
上記判別部は、上記訂正不能なエラーのパターンが所定のパターンであったときに上記記録媒体がオリジナルの記録媒体であると判別する請求項２３に記載の記録媒体の再生装置。
【請求項２５】
上記判別部は、上記訂正不能なエラーのパターンが所定のパターンでなかったときには上記記録媒体がオリジナルの記録媒体ではないと判別し、上記装置は上記記録媒体の再生を中止する請求項２４に記載の記録媒体の再生装置。
【請求項２６】
上記記録媒体には、所定の位置に上記エラー訂正符号によって訂正処理を行ったときに訂正不能となるデータと上記エラー訂正符号による訂正処理を行ったときに訂正不能とならないデータとが所定のパターンで記録されており、上記判別部は上記ヘッド部によって上記記録媒体の上記所定の位置から読み出されたデータが上記エラー訂正処理部によってエラー訂正処理された結果得られるデータをもとに判別する請求項２３に記載の記録媒体の再生装置。
【請求項２７】
上記判別部は、上記エラー訂正処理部によるエラー訂正処理結果が所定の結果であるか否かによって上記記録媒体がオリジナルの記録媒体であるか否かを判別する請求項２６に記載の記録媒体の再生装置。
【請求項２８】
記録媒体に記録されているデータを読み出し、
上記読み出されたデータに復調処理を施し、
上記復調処理されたデータにエラー訂正処理を施し、
上記エラー訂正処理の結果、訂正不能なエラーとなるデータと訂正不能なエラーとならないデータのパターンが所定のパターンであるか否かによって判別を行い、
上記訂正不能なエラーとなるデータは、上記エラー訂正処理の訂正符号とは異なる更なるエラー訂正符号によってエラー訂正符号化されているデータである
ことを特徴とする記録媒体の再生方法。
【請求項２９】
上記方法は、上記訂正不能なエラーのパターンが所定のパターンであったときに上記記録媒体がオリジナルの記録媒体であると判別する請求項２８に記載の記録媒体の再生方法。
【請求項３０】
上記方法は、上記判別の結果、上記記録媒体がオリジナルの記録媒体であると判別されたときには上記記録媒体の再生を開始する請求項２９に記載の記録媒体の再生方法。
【請求項３１】
上記方法は、上記訂正不能なエラーのパターンが所定のパターンでなかったときには上記記録媒体がオリジナルの記録媒体ではないと判別し、上記記録媒体の再生を中止する請求項２９に記載の記録媒体の再生方法。
【請求項３２】
上記記録媒体には、所定の位置に上記エラー訂正符号によって訂正処理を行ったときに訂正不能となるデータと上記エラー訂正符号による訂正処理を行ったときに訂正不能とならないデータとが所定のパターンで記録されており、上記方法は、上記記録媒体の上記所定の位置から読み出されたデータが上記エラー訂正処理された結果得られるデータをもとに判別する請求項２８に記載の記録媒体の再生方法。
【請求項３３】
上記方法は、上記エラー訂正処理結果が所定の結果であるか否かによって上記記録媒体がオリジナルの記録媒体であるか否かを判別する請求項３２に記載の記録媒体の再生方法。
【請求項３４】
送信されてきたデータにエラー訂正処理を施し、
上記エラー訂正処理の結果、訂正不能なエラーとなるデータと訂正不能なエラーとならないデータのパターンが所定のパターンであるか否かによって判別を行い、
上記訂正不能なエラーとなるデータは、上記エラー訂正処理の訂正符号とは異なる更なるエラー訂正符号によってエラー訂正符号化されているデータである
ことを特徴とする判別方法。
【請求項３５】
上記方法は、上記訂正不能なエラーのパターンが所定のパターンであったときに上記送信されてきたデータがオリジナルのデータであると判別する請求項３４に記載のデータ判別方法。
【請求項３６】
上記方法は、上記訂正不能なエラーのパターンが所定のパターンでなかったときには上記送信されてきたデータがオリジナルのデータではないと判別する請求項３４に記載のデータ判別方法。
【発明の詳細な説明】
【０００１】
【発明の属する技術分野】
この発明は、コンテンツデータが記録される記録媒体、このような記録媒体にデータを記録する記録方法および装置、このような記録媒体の再生を行う再生装置および方法、ならびに、データ判別方法に関する。
【０００２】
【従来の技術】
ＣＤ（Compact Disc ）やＣＤ−ＲＯＭ（Compact Disc Read Only Memory)等の光ディスクは、取り扱いが容易で、製造コストも比較的安価なことから、データを保存しておくための記録媒体として、広く普及している。また、近年、データを追記録可能なＣＤ−Ｒ（Compact Disc Recordable)ディスクや、データの再記録が可能なＣＤ−ＲＷ（Compact Disc ReWritable)ディスクが登場してきており、このような光ディスクにデータを記録することも簡単に行えるようになってきてきる。このことから、ＣＤ−ＤＡディスクや、ＣＤ−ＲＯＭディスク、ＣＤ−Ｒディスク、ＣＤ−ＲＷディスク等、ＣＤ規格に準拠した光ディスクは、データ記録媒体の中核となってきている。更に、近年、ＭＰ３(MPEG1 Audio Layer-3 )やＡＴＲＡＣ（Adaptive TRansform Acoustic Coding)３でオーディオデータを圧縮して、ＣＤ−ＲＯＭディスクやＣＤ−Ｒディスク、ＣＤ−ＲＷディスク等に記録することが行われている。
【０００３】
ところが、ＣＤ−ＲディスクやＣＤ−ＲＷ（Compact Disc ReWritable)ディスクの登場により、ＣＤのディスクに記録されているデータは簡単にコピーできるようになってきている。このため、著作権の保護の問題が生じてきており、ＣＤのディスクにコンテンツデータを記録する際に、コンテンツデータを保護するための対策を講じる必要性がある。
【０００４】
ＣＤのディスクに記録されているコンテンツデータを保護するための方法の１つとしては、コンテンツデータを暗号化してディスクに記録することがある。コンテンツデータを暗号化してディスクに記録しておけば、コンテンツのデータを復号するための鍵を取得しない限り、コンテンツのデータが復号できないことになり、コンテンツのデータの保護が図れる。また、コンテンツのデータの著作権保護に関する情報であるＤＲＭ(Digital Rights Management)データを入れておき、このＤＲＭのデータにより、コンテンツのデータの再生、コピーを制限するようなシステムを構築することが考えられる。
【０００５】
【発明が解決しようとする課題】
ところが、ＣＤのシステムは、基本的には、再生専用の記録媒体としてスタートしたため、効果的な著作権保護を図ることは困難である。特に、既存のＣＤ−ＲやＣＤ−ＲＷドライブでは、ディスクコピーの機能を持っているものがある。このようなドライブでは、１つのディスクのデータをそのまま他のディスクにコピーすることができる。このような機能を使うと、コンテンツデータを暗号化したり、ＤＲＭデータを記録したにもかかわらず、コンテンツデータがそのままコピーされてしまう危険性がある。
【０００６】
このようなディスクコピーによるコンテンツデータの不正コピーに備えて、ディスクに記録されているデータがオリジナルのデータであるのかコピーされたデータであるのかを判別するための方法が要望されている。
【０００７】
ＣＤ−ＲＯＭディスクに記録されているデータがオリジナルであるのかコピーであるのかを判別するための方法としては、例えば、ＣＤ−ＲＯＭのエラー訂正符号化の際の特性を利用したものがある。すなわち、ＣＤ−ＲＯＭでは、エラー訂正能力を増大させるために、ＣＩＲＣによるエラー訂正符号化と共に、更に、エラー訂正化がなされている。このＣＤ−ＲＯＭ（ＣＤ−ＲＯＭモード１）のエラー訂正符号、シンクパターン、ヘッダ、スクランブル等を故意に破壊しておき、その有無を用いて、オリジナルのディスクであるか否かを判別する方法が知られている。
【０００８】
ところが、現行のＣＤ−ＲドライブやＣＤ−ＲＷドライブの中には、このようなエラーを発生するこができるものがあり、また、このような方法を実現してディスクコピーするためのアプリケーションソフトウェアも販売されているようである。したがって、この方法は、ＣＤのディスクに記録されているデータがオリジナルであるのかコピーであるのかを判別するための方法としては、最早、役に立たなくなってきているようである。
【０００９】
したがって、この発明の目的は、光ディスクに記録されているデータがオリジナルのデータであるのかコピーされたデータであるのかを確実に判別でき、ディスクに記録されるデータの著作権の保護が確実に図れるようにした記録媒体、記録方法および装置、再生装置および方法、ならびに、データ判別方法を提供することにある。
【００１０】
【課題を解決するための手段】
この発明は、エラー訂正符号によってエラー訂正符号化されたデータが記録される領域を有し、エラー訂正符号によって訂正処理を行ったときに訂正不能となるデータとエラー訂正符号による訂正処理を行ったときに訂正不能とならないデータとが所定のパターンで記録されており、訂正不能となるデータは、エラー訂正符号とは異なる更なるエラー訂正符号によってエラー訂正符号化されているデータであることを特徴とする記録媒体である。
【００１１】
この発明は、エラー訂正符号によってエラー訂正符号化されたデータを記録媒体の記録領域に記録し、エラー訂正符号によって訂正処理を行ったときに訂正不能となるデータとエラー訂正符号による訂正処理を行ったときに訂正不能とならないデータとを所定のパターンで記録媒体の所定の位置に記録し、訂正不能となるデータは、エラー訂正符号とは異なる更なるエラー訂正符号によってエラー訂正符号化されているデータであることを特徴とする記録方法である。
【００１２】
この発明は、記録媒体に記録を行う記録部と、入力されたデータに第１のエラー訂正符号によってエラー訂正符号化処理を施すエラー訂正符号化処理部と、エラー訂正符号化処理部からの出力データとの変調処理を施して記録部に出力する変調処理部と、第１のエラー訂正符号と第１のエラー訂正符号とは異なる第２のエラー訂正符号のいずれの符号によっても復号可能なデータを生成し、エラー訂正処理回路部に供給するデータ生成部とを備えた記録媒体の記録装置である。
【００１３】
この発明は、記録媒体に記録されているデータを読み出すヘッド部と、ヘッド部からの出力信号に復調処理を施す復調処理部と、復調処理部からの出力データのエラー訂正処理を行うエラー訂正処理部と、エラー訂正処理部によるエラー訂正処理の結果、訂正不能なエラーとなるデータと訂正不能なエラーとならないデータのパターンが所定のパターンであるか否かによって判別を行う判別部とを備え、訂正不能なエラーとなるデータは、エラー訂正処理の訂正符号とは異なる更なるエラー訂正符号によってエラー訂正符号化されているデータであることを特徴とする記録媒体の再生装置である。
【００１４】
この発明は、記録媒体に記録されているデータを読み出し、読み出されたデータに復調処理を施し、復調処理されたデータにエラー訂正処理を施し、エラー訂正処理の結果、訂正不能なエラーとなるデータと訂正不能なエラーとならないデータのパターンが所定のパターンであるか否かによって判別を行い、訂正不能なエラーとなるデータは、エラー訂正処理の訂正符号とは異なる更なるエラー訂正符号によってエラー訂正符号化されているデータであることを特徴とする記録媒体の再生方法である。
【００１５】
この発明は、送信されてきたデータにエラー訂正処理を施し、エラー訂正処理の結果、訂正不能なエラーとなるデータと訂正不能なエラーとならないデータのパターンが所定のパターンであるか否かによって判別を行い、訂正不能なエラーとなるデータは、エラー訂正処理の訂正符号とは異なる更なるエラー訂正符号によってエラー訂正符号化されているデータであることを特徴とする判別方法である。
【００１６】
この発明では、復号した結果エラーとなるデータとエラーとならないデータのパターンと、データ記録媒体中の第１のエラー訂正符号では本来訂正不能エラーとなるべきデータと第１のエラー訂正符号では本来訂正不能にならないべきデータのパターンとが一致しているか否かを判断し、再生しているデータ記録媒体がオリジナルのデータ記録媒体か否かを判定する。
【００１７】
また、この発明では、所定のパターンにより情報を表現するようにしている。復号した結果エラーとなるデータとエラーとならないデータのパターンを再生して情報を得るようにする。
【００１８】
データ記録媒体である光ディスクには、第１のエラー訂正符号であるＣＩＲＣ４方式でエラー訂正符号化されたデータが記録されている。そして、光ディスクには、第２のエラー訂正符号であるＣＩＲＣ７でデータがエラー訂正符号化される領域が設けられており、その中に、ＣＩＲＣ４方式でもＣＩＲＣ７方式でも復号可能なデータが所定の位置に所定のパターンで記録されている。ＣＩＲＣ４方式でも、ＣＩＲＣ７方式でも復号可能な形態のデータは、Ｃ１系列を単位として所定のデータが繰り返すものである。
【００１９】
オリジナルの光ディスクなら、このような光ディスクをＣＩＲＣ４方式のエラー訂正復号回路で復号すると、ＣＩＲＣ７でデータがエラー訂正符号化される領域では、訂正不能なエラーとなるが、その中でも、所定の位置に所定のパターンで記録されているＣＩＲＣ４方式でもＣＩＲＣ７方式でも復号可能なデータの部分では、訂正不能なエラーとならない。
【００２０】
これに対して、このような光ディスクをＣＩＲＣ４方式の復号回路で復号してディスクコピーすると、ＣＩＲＣ７方式でエラー訂正符号化される領域で訂正不能なエラーが発生するため、機器が止まり、コピー不可能になる。或いは、コピーできたとしても、データが書き変わってしまう。
【００２１】
したがって、コピーされた光ディスクなら、このような光ディスクをＣＩＲＣ４方式のエラー訂正復号回路で復号すると、オリジナルのディスクのように、所定の位置に所定のパターンで訂正不能なエラーが生じなくなる。
【００２２】
したがって、第１のエラー訂正符号であるＣＩＲＣ４方式でデータが記録された光ディスクの中で、第２のエラー訂正符号であるＣＩＲＣ７方式でエラー訂正符号化された領域を再生し、再生されたデータをＣＩＲＣ４方式で復号し、復号した結果エラーとなる位置と、オリジナルのディスクならエラーとなるパターンとが一致しているか否かを判断することで、再生しているディスクがオリジナルか否かを判定することができる。
【００２３】
また、第２のエラー訂正符号であるＣＩＲＣ７でデータがエラー訂正符号化される領域の中に、ＣＩＲＣ４方式でもＣＩＲＣ７方式でも復号可能なデータが所定の位置に所定のパターンで記録し、このパターンにより情報を記録しておく。このようにすると、第１のエラー訂正符号であるＣＩＲＣ４方式でデータが記録された光ディスクの中で、第２のエラー訂正符号であるＣＩＲＣ７方式でエラー訂正符号化された領域を再生し、再生されたデータをＣＩＲＣ４方式で復号し、復号した結果エラーとなるパターンから、ディスクの識別情報等の情報を得ることができる。
【００２４】
【発明の実施の形態】
以下、この発明の実施の形態について図面を参照して説明する。この実施形態は、記録媒体として、新規な光ディスクとしてのＣＤ２ディスクが用いられる。ＣＤ２ディスクは、ＣＤディスクとサイズ等の物理的規格が殆ど同一のものであり、現行のディスクドライブで、ディスク上の情報を光学的に読み取ることが可能なものである。
【００２５】
ＣＤ２ディスク上には、暗号化されたコンテンツデータが記録されている。暗号化されたコンテンツデータは、一例として、ＣＤ−ＲＯＭフォーマットまたはＣＤ−ＤＡフォーマットのオーディオ、画像等のコンテンツデータを暗号化したものである。暗号化方法としては、ＤＥＳ(Data Encryption Standard)等を使用できる。更に、必要に応じてコンテンツデータは、ＡＴＲＡＣ３（Adaptive TRansform Acoustic Coding 3) 、ＭＰ３(MPEG1 Audio Layer-3 ) 、ＡＡＣ（MPEG2 Advanced Audio Coding )、ＴｗｉｎＶＱ等によって圧縮符号化されている。
【００２６】
図１に示すように、この発明が適用された光ディスク１は、その直径が１２０ｍｍとされており、その中央に孔２を有している。なお、光ディスク１としては、直径８０ｍｍの、所謂ＣＤシングルと称されるものもある。
【００２７】
光ディスク１には、再生専用のものと、追記可能なものと、再記録可能なものとがある。
【００２８】
再生専用の光ディスク１では、記録層の部材としてアルミニウムが用いられている。再生専用の光ディスク１の場合には、情報が物理的なピットとして記録されており、通常、スタンパを用いてディスクが生産されている。
【００２９】
追記可能な光ディスク１は、記録層にフタロシアニンやシアニン等の有機色素が用いられる。追記可能な光ディスクでは、書き込み時には、レーザーでディスク上の有機色素が昇温される。これにより、有機色相が熱変形される。
【００３０】
再記録可能な光ディスク１は記録層に相変化材料が用いられる。相変化材料は、Ａｇ−Ｉｎ−Ｓｂ−Ｔｅ（銀−インジウム−アンチモン−テルル）の合金が用いられる。このような物質は、結晶相とアモルファス相（非結晶）を持つ。光ビーム強度が強いときは、相変化記録膜が融点以上に昇温された後に急速に冷却され、相変化記録膜はアモルファス状態となる。また光ビーム強度が比較的弱いときは、相変化記録膜は結晶化温度付近まで昇温された後、徐々に冷却され、結晶状態となる。
【００３１】
図１及び図２に示すように、光ディスク１の最内周には、第１のリードイン領域ＬＩ１が設けられ、その外周に、第１のプログラム領域ＰＡ１が設けられ、第１のプログラム領域ＰＡ１の外側に、第１のリードアウト領域ＬＯ１が設けられる。第１のプログラム領域ＰＡ１には、ＣＤ−ＤＡと同様の記録形態で、オーディオデータが記録される。この第１のプログラム領域ＰＡ１のデータは、ＣＤ−ＤＡと同様の記録形態であると共に、暗号化されていないので、通常の音楽再生用のプレーヤで再生することが可能である。
【００３２】
第１のリードアウト領域ＬＯ１の外側に、第２のリードイン領域ＬＩ２が設けられ、その外周に、第２のプログラム領域ＰＡ２が設けられ、第２のプログラム領域ＰＡ２の外側に、第２のリードアウト領域ＬＯ２が設けられる。第２のプログラム領域ＰＡ２には、コンテンツデータとして、例えばＡＴＲＡＣ３で圧縮されたオーディオデータが暗号化されて記録される。
【００３３】
更に、第２のプログラム領域ＰＡ２は、エラー訂正符号化方式の異なる２つの領域ＡＲ１とＡＲ２とに分けられている。領域ＡＲ１のデータには、通常のＣＤ−ＤＡディスクやＣＤ−ＲＯＭディスクと同様のエラー訂正符号化方式（以下、ＣＩＲＣ４方式と称する）で、データがエラー訂正符号化されて記録されている。領域ＡＲ２のデータには、倍密度のＣＤディスクで採用が予定されているエラー訂正符号化方式（以下、ＣＩＲＣ７方式と称する）でデータがエラー訂正符号化されて記録されていると共に、その中に、ＣＩＲＣ４方式でも復号可能なデータのパターンが含められる。
【００３４】
なお、プログラム領域領域ＡＲ１については、ＣＤ−ＤＡとの互換性を図ることから、ＣＩＲＣ４方式でデータがエラー訂正符号化される。
【００３５】
この発明が適用された光ディスク１では、上述のように、第２のプログラム領域ＰＡ２は、エラー訂正符号化方式の異なる２つの領域ＡＲ１及びＡＲ２に分けられている。そして、領域ＡＲ１には、ＣＩＲＣ４方式でデータがエラー訂正符号化されて記録されており、領域ＡＲ２には、ＣＩＲＣ７方式でデータがエラー訂正符号化されて記録されていると共にＣＩＲＣ７方式でもＣＩＲＣ４方式でも復号可能なデータのパターンが含められる。
【００３６】
エラー訂正符号は、本来、バーストエラーやランダムエラーの検出、訂正処理をするために付加されている。しかしながら、この発明が適用された光ディスク１では、後に説明するように、ＣＩＲＣ４方式やＣＩＲＣ７方式のエラー訂正符号の性質を利用することにより、領域ＡＲ２のエラー訂正処理をすることで、光ディスク１に記録されているデータがオリジナルのデータであるのかコピーされたデータであるのかを判別できるようにしている。
【００３７】
次に、ＣＲＩＣ４方式のエラー訂正符号とＣＩＲＣ７方式のエラー訂正符号について説明する。
【００３８】
ＣＤでは、エラー訂正符号化方式として、Ｃ１系列（垂直方向）とＣ２系列（斜め方向）とに２重にエラー訂正符号化処理を行うＣＩＲＣが採用されている。そして、エラー訂正符号化されたデータは、１フレームを単位として、ＥＦＭ変調されて記録される。
【００３９】
図３は、ＥＦＭ変調される前のＣＤのデータ構造の１フレームを示すものである。
【００４０】
１フレームは、図３に示すように、オーディオデータを１６ビットでサンプリングした場合に、Ｌ（左）、Ｒ（右）各６サンプル分に相当する２４シンボル（１シンボルは１６ビットを２分割してなる８ビット）のデータビットと、４シンボルのＱパリティと、４シンボルのＰパリティと、１シンボルのサブコードとからなる。ディスク上に記録される１フレームのデータは、ＥＦＭ変調により、８ビットが１４ビットに変換されると共に直流分抑圧ビットが付加され、フレームシンクが付加される。
【００４１】
したがって、ディスク上に記録される１フレームは、
フレームシンク  ２４チャンネルビット
データビット    １４×２４＝３３６チャンネルビット
サブコード      １４チャンネルビット
パリティ        １４×８＝１１２チャンネルビット
マージンビット  ３×３４＝１０２チャンネルビット
からなる。したがって、１フレームの総チャンネルビット数が５８８チャンネルビットである。
【００４２】
各フレームの１シンボルのサブコードは、Ｐ〜Ｗの８チャンネルの各チャンネルの１ビットとを含む。図４に示すように、サブコードの完結する周期（９８フレーム）のデータによって１セクタが構成される。なお、９８フレームの先頭の２フレームのサブコードは、サブコードフレームシンクＳ0 、Ｓ1 である。ＣＤ−ＲＯＭ等で光ディスクのデータを記録する場合には、サブコードの完結する単位である９８フレーム（２，３５２バイト）が１セクタとされる。
【００４３】
図５及び図６は、ＣＩＲＣ方式の符号化の流れに沿って表されたブロック図である。なお、ＣＩＲＣの符号化／復号化の説明では、理解の容易のために、オーディオデータの符号化を対象とする。
【００４４】
オーディオ信号の１ワードが上位８ビットと下位８ビットとに分割されてなる２４シンボル（Ｗ12n,Ａ，Ｗ12n,Ｂ，・・・，Ｗ12n+11, Ａ，Ｗ12n+11, Ｂ）（上位８ビットがＡ、下位８ビットがＢで示されている）が２シンボル遅延／スクランブル回路１１に供給される。２シンボル遅延は、偶数ワードのデータＬ6n, Ｒ6n, Ｌ6n+2, Ｒ6n+2, ・・・に対して実行され、Ｃ２符号器１２で該当する系列が全てエラーとなった場合でも、補間ができるようにされている。スクランブルは、最大のバーストエラー補間長が得られるように施されている。
【００４５】
２シンボル遅延／スクランブル回路１１からの出力がＣ２符号器１２に供給される。Ｃ２符号器１２は、ＧＦ（２８ ）上の（２８，２４，５）リード・ソロモン符号の符号化を行い、４シンボルのＱパリティＱ12n,Ｑ12n+1,Ｑ12n+2,Ｑ12n+3 が発生する。
【００４６】
Ｃ２符号器１２の出力の２８シンボルがインターリーブ回路１３に供給される。インターリーブ回路１３は、単位遅延量をＤとすると、０、Ｄ、２Ｄ、・・・と等差的に変化する遅延量を各シンボルに与えることによって、シンボルの第１の配列を第２の配列へ変更するものである。
【００４７】
インターリーブ回路１３の出力がＣ１符号器１４に供給される。ＧＦ（２８ ）上の（３２，２８，５）リード・ソロモン符号がＣ１符号として使用される。Ｃ１符号器１４から４シンボルのＰパリティＰ12n,Ｐ12n+1,Ｐ12n+2,Ｐ12n+3 が発生する。Ｃ１符号、Ｃ２符号の最小距離は、共に５である。したがって、２シンボルエラーの訂正、４シンボルエラーの消失訂正（エラーシンボルの位置が分かっている場合）が可能である。
【００４８】
Ｃ１符号器１４からの３２シンボルが１シンボル遅延回路１５に供給される。１シンボル遅延回路１５は、隣接するシンボルを離すことにより、シンボルとシンボルの境界にまたがるエラーにより２シンボルエラーが生じることを防止するためである。また、Ｑパリティがインバータによって反転されているが、これは、データおよびパリティが全て零になったときでも、エラーを検出できるようにするためである。
【００４９】
ＣＩＲＣ４方式の場合とＣＩＲＣ７方式の場合とでは、インターリーブ回路１３の単位遅延量Ｄが異なっている。このインターリーブ回路１３によって、バーストエラーが分散される。
【００５０】
すなわち、ＣＩＲＣ４方式の場合には、Ｄ＝４フレームとされ、隣接するシンボルが４フレームずつ離されている。このように、Ｄ＝４フレームとされたＣＩＲＣ４方式は、現行のＣＤ−ＤＡで採用されている。ＣＩＲＣ４方式の場合には、最大遅延量が２７Ｄ（＝１０８フレーム）となり、総インターリーブ長が１０９フレームとなる。
【００５１】
ＣＩＲＣ７方式の場合には、Ｄ＝７フレームとされ、隣接するシンボルが７フレームずつ離されている。このように、Ｄ＝７フレームとされたＣＩＲＣ７方式は、倍密度方式のＣＤ−ＤＡでの採用が検討されている。ＣＩＲＣ７方式の場合には、最大遅延量が２７Ｄ（＝１８９フレーム）となり、総インターリーブ長が１９０フレームとなる。
【００５２】
図７及び図８は、復号化の流れに沿って表されたブロック図である。復号化の処理は、上述した符号化の処理と逆の順序でなされる。
【００５３】
まず、ＥＦＭ復調回路からの再生データが１シンボル遅延回路２１に供給される。符号化側の１シンボル遅延回路１５で与えられた遅延がこの回路２１においてキャンセルされる。
【００５４】
１シンボル遅延回路２１からの３２シンボルがＣ１復号器２２に供給される。Ｃ１復号器２２の出力がデインターリーブ回路２３に供給される。デインターリーブ回路２３は、インターリーブ回路１３により与えられた遅延量をキャンセルするように、２８シンボルに対して２７Ｄ、２６Ｄ、・・・、Ｄ、０の等差的に変化する遅延量を与える。
【００５５】
デインターリーブ回路２３の単位遅延量は、ＣＩＲＣ４方式の場合には、Ｄ＝４フレームとされ、ＣＩＲＣ７方式の場合には、Ｄ＝７フレームとされる。
【００５６】
デインターリーブ回路２３の出力がＣ２復号器２４に供給され、Ｃ２符号の復号がなされる。Ｃ２復号器２４の２４シンボルの出力が２シンボル遅延／ディスクランブル回路２５に供給される。この回路２５から２４シンボルの復号データが得られる。
【００５７】
Ｃ１復号器２２およびＣ２復号器２４からのエラーフラグから補間フラグ生成回路２６にて補間フラグが生成される。この補間フラグによりエラーであることが示されるデータが補間される。
【００５８】
このように、ＣＩＲＣでは、垂直方向にＣ１系列でエラー訂正符号化が行われると共に、斜め方向にＣ２系列でエラー訂正符号化が行われ、２重にエラー訂正符号化が行われている。ＣＩＲＣ４方式とＣＩＲＣ７方式とでは、インターリーブ長が異なっている。
【００５９】
ＣＩＲＣ４方式の場合には、図９に示すように、単位遅延量Ｄが（Ｄ＝４）であり、総インターリーブ長が１０９（＝１０８＋１）フレームであり、１ブロックより少し大きくなる。ＣＩＲＣ７方式の場合には、図１０に示すように、単位遅延量Ｄが（Ｄ＝７）であり、総インターリーブ長が１９０（＝１８９＋１）フレームとなり、２ブロックより少し小さくなる。
【００６０】
総インターリーブ長は、ディスク上に付着した指紋、ディスクの傷等によって多数のデータが連続的に誤る、バーストエラーに対する訂正能力を規定するものとなり、それが長いほどバーストエラー訂正の能力が高い。倍密度ＣＤでは、バーストエラーに対する訂正能力を上げることが要望されている。このため、倍密度ＣＤでは、ＣＩＲＣ７方式のエラー訂正符号を採用して、バーストエラーに対する訂正能力を向上させることが考えられている。
【００６１】
上述のように、この発明が適用された光ディスク１では、領域ＡＲ２には、ＣＩＲＣ７方式でデータがエラー訂正符号化されて記録されていると共にＣＩＲＣ７方式でもＣＩＲＣ４方式でも復号可能なデータのパターンが含められる。このＣＩＲＣ７方式でもＣＩＲＣ４方式でも復号可能なデータについて説明する。
【００６２】
上述のように、ＣＩＲＣ４方式とＣＩＲＣ７方式とでは、インターリーブ長が異なっているので、ＣＩＲＣ７方式でエラー訂正符号化されたデータを、ＣＩＲＣ４方式の復号器で復号することはできない。また、その反対に、ＣＩＲＣ４方式でエラー訂正符号化されたデータを、ＣＩＲＣ７方式の復号器で復号することはできない。
【００６３】
ところが、ある特定の配列のデータの場合には、ＣＩＲＣ４方式のデコーダでも、ＣＩＲＣ７方式のデコーダでも、復号することができる。
【００６４】
図１１は、ＣＩＲＣ４方式の復号器でもＣＩＲＣ７方式の復号器でも復号できるデータ配列を説明したものである。図１１に示すデータ配列では、データを二次元配列したときに、垂直方向を単位として、すなわちＣ１系列を単位として、所定のデータが繰り返すようなデータが配列されている。この例では、垂直方向のデータには、ａ１、ａ２、ａ３，ａ４を１つの単位として、データが繰り返されている。
【００６５】
このようなデータ配列では、水平方向には、全て同じデータが並ぶことになる。すなわち、図１１に示すように、水平方向の１行目のデータは全てａ１であり、２行目のデータは全てａ２であり、３行目のデータは全てａ３であり、４行目のデータは全てａ４であり、水平方向には、全て同じデータが並ぶ。
【００６６】
このようなデータ配列とした場合には、Ｃ１系列については勿論であるが、Ｃ２系列についても、ＣＩＲＣ４方式とＣＩＲＣ７方式とでは、同様になる。すなわち、図１１の例では、総インターリーブ長（すなわち、斜め方向の角度）にかかわらず、Ｃ２系列のパリティは、常に、ａ１、ａ２、ａ３，ａ４により形成される。
【００６７】
したがって、このような配列のデータとなっている場合には、ＣＩＲＣ７方式でエラー訂正符号化されたデータをＣＩＲＣ４方式の復号器で復号することもできるし、ＣＩＲＣ４方式でエラー訂正符号化されたデータをＣＩＲＣ７方式の復号器で復号することもできる。
【００６８】
このように、ＣＩＲＣ４方式とＣＩＲＣ７方式とでは、インターリーブ長が異なるので、通常のデータでは、ＣＩＲＣ７方式でエラー訂正符号化されたデータをＣＩＲＣ４方式の復号器で復号したり、ＣＩＲＣ４方式でエラー訂正符号化されたデータをＣＩＲＣ７方式の復号器で復号することはできないが、上述のように、垂直方向で所定のデータを繰り返すような配列とすると、ＣＩＲＣ７方式の復号器でもＣＩＲＣ４方式の復号器でも復号できるようになる。
【００６９】
この発明が適用された光ディスクは、このようなＣＩＲＣ７方式の復号器でもＣＩＲＣ４方式の復号器でも復号できるようなデータの性質を利用して、ディスクに記録されたデータがオリジナルであるのか、コピーされたデータであるのかを判別するようにしている。このことについて、以下に説明する。
【００７０】
図１２は、図１及び図２に示した光ディスク１において、第２のプログラム領域ＰＡ２の領域ＡＲ２の構成を示したものである。
【００７１】
前述したように、この領域ＡＲ２は、ＣＩＲＣ７方式でエラー訂正符号化がなされていると共に、ＣＩＲＣ７方式でもＣＩＲＣ４方式でも復号可能なデータパターンが含められる。図１２において、部分ＢＡ１、ＢＡ２、ＢＡ３、…がＣＩＲＣ７方式でもＣＩＲＣ４方式でも復号可能なデータが記録されている部分であり、他の部分は、ＣＩＲＣ７方式でエラー訂正符号化されたデータが記録されている。図中、丸印はＣＩＲＣ４方式でエラー訂正復号化してエラーにならないことを示し、バツ印は訂正不能のエラーになることを示している。ＣＩＲＣ７方式でもＣＩＲＣ４方式でも復号可能なデータは、具体的には、図１１に示したように、垂直方向（Ｃ１系列）を単位として所定のデータが繰り返されるように配列されるデータである。
【００７２】
この発明が適用された光ディスク１では、このように、ＣＩＲＣ７方式でエラー訂正符号化がなされていると共に、ＣＩＲＣ７方式でもＣＩＲＣ４方式でも復号可能なデータが所定の位置に所定のパターンで含められる領域ＡＲ２が設けられる。これにより、オリジナルのディスクかコピーされたディスクかを識別することができる。
【００７３】
つまり、図１３は、オリジナルの光ディスク１Ａから光ディスク１Ｂにデータをディスクコピーする場合の処理の概要を示すものである。
【００７４】
図１３において、オリジナルの光ディスク１Ａは、この発明が適用された光ディスクであり、この光ディスク１Ａの領域ＡＲ２には、図１２に示したように、ＣＩＲＣ７方式でエラー訂正符号化されたデータが記録されており、その中の所定の位置に所定のパターンで、ＣＩＲＣ４方式でもＣＩＲＣ７方式でも復号できるデータの部分ＢＡ１、ＢＡ２、ＢＡ３、…が含まれている。
【００７５】
再生装置３１には、このようなオリジナルの光ディスク１Ａが装着され、光ディスク１Ａのデータが読み出される。通常のＣＤ−ＤＡやＣＤ−ＲＯＭ、ＣＤ−Ｒ、ＣＤ−ＲＷのディスクでは、ＣＩＲＣ４方式のエラー訂正符号化方式が用いられており、通常の通常のＣＤ−ＤＡやＣＤ−ＲＯＭ、ＣＤ−Ｒ、ＣＤ−ＲＷの再生を行う再生装置３１には、ＣＩＲＣ４方式のエラー訂正処理を行うエラー訂正復号回路３３が設けられている。
【００７６】
再生装置３１に装着されたオリジナルの光ディスク１Ａのデータは、ＣＩＲＣ４方式のエラー訂正処理を行うエラー訂正復号回路３３で、エラー訂正処理される。
【００７７】
オリジナルの光ディスク１Ａには、図１２に示したように、ＣＩＲＣ７方式でエラー訂正符号化されたデータが記録されている領域ＡＲ２が設けられている。この領域ＡＲ２の再生データに対して、エラー訂正復号回路３３でエラー訂正処理を行うと、ＣＩＲＣ４方式でもＣＩＲＣ７方式でも復号できるデータが記録されている部分ＢＡ１、ＢＡ２、ＢＡ３、…を除いて、殆どが訂正不能なエラーとなる。
【００７８】
殆どが訂正不能なエラーとなった場合の処理は、機器によって異なるが、通常、訂正不能なエラーが発生すると、補間データで埋められる。或いは、異常があるとして、そこで再生動作が停止される。異常が発生したとして再生動作が停止されれば、光ディスク１Ａのコピーは防げるが、ここでは、補間データで埋められたとする。
【００７９】
再生装置３１で再生された光ディスク１Ａの再生データは、記録装置３２に送られる。再生装置３１側で訂正不能なエラーが発生したら補間データで埋められる処理がなされているとすると、再生装置３１から出力されるデータのうち、領域ＡＲ２に相当するデータは、殆ど補間データで埋められたものとなる。
【００８０】
記録装置３２には、光ディスク１Ｂが装着される。また、記録装置３２には、ＣＩＲＣ４方式のエラー訂正符号化処理を行うためのエラー訂正符号化回路３４が設けられている。
【００８１】
記録装置３２に入力されたデータは、ＣＩＲＣ４方式のエラー訂正符号化回路３４に供給される。エラー訂正符号化回路３４で、入力データに対して、ＣＩＲＣ４方式でエラー訂正符号化処理が行われる。このようにＣＩＲＣ４方式でエラー訂正符号化処理されたデータが光ディスク１Ｂに記録される。
【００８２】
前述したように、再生装置３１から出力されるデータのうち、領域ＡＲ２に相当するデータは、殆ど補間データで埋められたものとなる。ＣＩＲＣ４方式のエラー訂正符号化回路３４では、このような補間データに対して、ＣＩＲＣ４方式のエラー訂正符号を付加することになる。
【００８３】
その結果、オリジナルの光ディスク１Ａの領域ＡＲ２には、図１４Ａに示すように、ＣＩＲＣ７方式でエラー訂正符号化されたデータが記録されており、その中の所定の位置に所定のパターンで、ＣＩＲＣ４方式でもＣＩＲＣ７方式でも復号できるデータ部分ＢＡ１、ＢＡ２、ＢＡ３、…が含まれているのに対して、コピーされた光ディスク１Ｂの領域ＡＲ２には、図１４Ｂに示すように、ＣＩＲＣ４方式でエラー訂正符号化された補間データが記録されるようになる。
【００８４】
図１４Ａと図１４Ｂとを比較すれば分かるように、オリジナルの光ディスク１Ａの場合には、領域ＡＲ２に、ＣＩＲＣ７方式でエラー訂正符号化されたデータ中に、ＣＩＲＣ４方式でもＣＩＲＣ７方式でも復号できるデータ部分ＢＡ１、ＢＡ２、ＢＡ３、…が、所定の位置に所定のパターンで存在している。これに対して、コピーされた光ディスク１Ｂの場合には、ＣＩＲＣ４方式でエラー訂正されることになり、ＣＩＲＣ４方式でもＣＩＲＣ７方式でも復号できるデータ部分ＢＡ１、ＢＡ２、ＢＡ３、…がはっきりしなくなる。
【００８５】
したがって、光ディスク１の領域ＡＲ２に、ＣＩＲＣ４方式でもＣＩＲＣ７方式でも復号できるデータ部分ＢＡ１、ＢＡ２、ＢＡ３、…が所定の位置に所定のパターンで存在し、それ以外の所がエラーになるか否かを判断すれば、オリジナルの光ディスクであるか否かを判断できる。
【００８６】
つまり、光ディスク１の領域ＡＲ２の再生データをＣＩＲＣ４方式でエラー訂正復号化すると、オリジナルの光ディスク１Ａでは、所定の位置に所定のパターンで存在しているＣＩＲＣ４方式でもＣＩＲＣ７方式でも復号できるデータ部分ＢＡ１、ＢＡ２、ＢＡ３、…でエラー無しとなり、他の部分で、訂正不能なエラーとなる。これに対して、コピーされた光ディスク１Ｂの場合には、領域ＡＲ２がＣＩＲＣ４方式でエラー訂正符号化処理されたデータに変わるため、殆どエラー無しという結果になる。
【００８７】
勿論、他の何某かの処理が行われたり、或いは、ディスクが損傷されていて、領域ＡＲ２にエラーが生じるような結果もあるかもしれない。しかしながら、何れにしろ、領域ＡＲ２の再生データから、ＣＩＲＣ４方式でもＣＩＲＣ７方式でも復号できるデータ部分ＢＡ１、ＢＡ２、ＢＡ３、…が検出できなければ、問題のあるディスクと判断できる。
【００８８】
このように、領域ＡＲ２にＣＩＲＣ７方式でエラー訂正符号化されたデータを記録しておき、その中に、ＣＩＲＣ７方式でもＣＩＲＣ４方式でも復号可能なデータを所定の位置に所定のパターンで含めておくこと、領域ＡＲ２のエラー訂正処理の結果から、オリジナルのディスクかコピーされたディスクかを判別することができる。
【００８９】
図１５は、上述のような光ディスク１を作成するための記録装置の構成を示すものである。図１５において、入力端子５１に、図１に示す光ディスク１におけるプログラム領域ＰＡ１に記録すべきディジタルオーディオデータが供給される。
【００９０】
入力端子５２に、プログラム領域ＰＡ２に記録すべきコンテンツデータとして、例えばＡＴＲＡＣ３で圧縮されたオーディオデータが供給される。
【００９１】
入力端子５５には、領域ＡＲ２に記録すべきデータが供給される。入力端子５５には、専用のドライブでのみ再生可能なデータを供給することが考えられるが、どのようなデータであっても良い。
【００９２】
データ発生回路５６からは、ＣＩＲＣ４方式でもＣＩＲＣ７方式でも復号可能なデータが発生される。ＣＩＲＣ４方式でもＣＩＲＣ７方式でも復号可能なデータは、データをエラー訂正処理のために２次元配列したときに、垂直方向（Ｃ１系列）を単位として所定のデータが繰り返すような配置のものである。
【００９３】
光ディスク１のプログラム領域ＰＡ１に、ディジタルオーディオデータを記録する場合には、入力端子５１からのオーディオデータがＣＩＲＣ４のエラー訂正符号化回路５４に供給される。
【００９４】
また、光ディスク１のプログラム領域ＰＡ２の領域ＡＲ１に、例えばＡＴＲＡＣ３で圧縮されたオーディオデータをコンテンツデータとして記録する場合には、入力端子５２からの圧縮されたオーディオデータが暗号化回路５３に供給される。暗号化回路５３で、このオーディオデータが暗号化される。暗号化回路５３の出力がＣＩＲＣ４のエラー訂正符号化回路５４に供給される。
【００９５】
ＣＩＲＣ４のエラー訂正符号化回路５４は、Ｃ１系列（垂直方向）とＣ２系列（斜め方向）とに２重にエラー訂正符号化処理を行うものである。ＣＩＲＣ４方式の場合には、遅延の単位Ｄは（Ｄ＝４フレーム）とされ、最大遅延量が２７Ｄ（＝１０８フレーム）となる。
【００９６】
また、入力端子５５からは、領域ＡＲ２に記録するデータが供給される。入力端子５５からのデータがスイッチ回路５７の端子５７Ａに供給される。また、データ発生回路５６からは、ＣＩＲＣ４方式でもＣＩＲＣ７方式でも復号可能なデータが発生される。このデータ発生回路５６の出力がスイッチ回路５７の端子５７Ｂに供給される。スイッチ回路５７は、予め決められた所定のタイミングで切り換えられる。このスイッチ回路５７の出力がＣＩＲＣ７のエラー訂正符号化回路５８に供給される。
【００９７】
ＣＩＲＣ７のエラー訂正符号化回路５８は、Ｃ１系列（垂直方向）とＣ２系列（斜め方向）とに２重にエラー訂正符号化処理を行うものである。ＣＩＲＣ７方式の場合には、遅延の単位Ｄは（Ｄ＝７フレーム）とされ、最大遅延量が２７Ｄ（＝１８９フレーム）となる。
【００９８】
プログラム領域ＰＡ２において、領域ＡＲ１にデータを記録する場合には、ＣＩＲＣ４方式でエラー訂正符号化されたコンテンツデータが、ＣＩＲＣ４方式のエラー訂正符号化回路５４から、サブコード付加回路５９に供給される。
【００９９】
領域ＡＲ２にＣＩＲＣ７で訂正符号化されたデータを記録する場合には、ＣＩＲＣ７方式でエラー訂正符号化されたデータが、ＣＩＲＣ７方式エラー訂正符号化回路５８から、サブコード付加回路５９に供給される。なお、スイッチ回路５７を予め決められた所定のタイミングで切り換えることで、ＣＩＲＣ７方式でエラー訂正符号化されたデータ中には、所定の位置に所定のパターンで、ＣＩＲＣ４方式でもＣＩＲＣ７方式でも復号可能なデータが含められる。
【０１００】
サブコード付加回路５９で、１フレームのデータにサブコードと、フレーム同期信号がが付加される。サブコード付加回路５９の出力が変調回路６０に供給される。変調回路６０で、記録データがＥＦＭ変調される。
【０１０１】
光ディスク１は、ターンテーブルに載せられてスピンドルモータ６１によって回転される。スピンドルモータ６１は、サーボ制御回路６２の制御の基で、スピンドル制御回路６３により、一定線速度（ＣＬＶ）或いは一定角速度（ＣＡＶ）で回転駆動をされる。
【０１０２】
サーボ制御回路６２は、フォーカスエラー信号とトラッキングエラー信号、および、システムコントローラ６８からの動作指令に基づき、フォーカス、トラッキング、スレッド、スピンドルの各種サーボドライブ信号を生成し、二軸制御回路６４、スレッド制御回路６５、スピンドル制御回路６３へと出力する。
【０１０３】
光学ピックアップ６６は、光ディスク１の信号面に半導体レーザの光ビームを集光しつつ、光ディスク１上に同心円状或いはスパイラル状に形成されたトラックをトレースさせるための機構である。光学ピックアップ６６からのレーザビームは、二軸機構によって、フォーカス方向及びトラッキング方向に移動を可能とされている。二軸機構は、サーボ制御回路６２の制御の基で、二軸制御回路６４により制御される。光学ピックアップ６６全体は、スレッド機構６７により、ディスクの半径方向に移動可能とされている。スレッド機構６７の移動は、サーボ制御回路６２の制御の基で、スレッド制御回路６５により制御される。
【０１０４】
変調回路６０の出力が光学ピックアップ６６に供給される。光学ピックアップ６６からは、変調回路６０の出力に応じて発光用波形が変調されたレーザー光が出力される。このレーザー光が光ディスク１の記録面に照射され、光ディスク１上に情報が記録される。
【０１０５】
図１６は、再生装置の一例を示すものである。図１６において、光ディスク１は、ターンテーブルに載せられてスピンドルモータ７１によって回転される。スピンドルモータ７１は、サーボ制御回路７３の制御の基で、スピンドル制御回路７２により、一定線速度（ＣＬＶ）或いは一定角速度（ＣＡＶ）で回転駆動をされる。
【０１０６】
サーボ制御回路７３は、フォーカスエラー信号とトラッキングエラー信号、および、システムコントローラ８７からの動作指令に基づき、フォーカス、トラッキング、スレッド、スピンドルの各種サーボドライブ信号を生成し、二軸制御回路７４、スレッド制御回路７５、スピンドル制御回路７２へと出力している。光学ピックアップ７７は、光ディスク１の信号面に半導体レーザの光ビームを集光しつつ、光ディスク１上に同心円状或いはスパイラル状に形成されたトラックをトレースさせるための機構である。光学ピックアップ７７全体は、スレッド機構７８により移動される。
【０１０７】
光学ピックアップ７７の出力は、ＲＦアンプ７９を介して、復調回路８０に供給される。復調回路８０は、ＥＦＭの復調を行うものである。復調回路８０の出力がサブコード抽出回路８１に供給される。サブコード抽出回路８１で、サブコードデータが抽出される。サブコード抽出回路８１の出力がエラー訂正復号化回路８２に供給される。エラー訂正復号化回路８２は、ＣＩＲＣ４方式のエラー訂正処理を行うものである。
【０１０８】
光ディスク１のプログラム領域ＰＡ１のＣＤ−ＤＡデータを再生する場合には、光学ピックアップ７７がプログラム領域ＰＡ１にアクセスされ、光学ピックアップ７７で、プログラム領域ＰＡ１の部分が再生される。この再生出力がＲＦアンプ７９、復調回路８０、サブコード抽出回路８１を介して、エラー訂正復号化回路８２に供給される。
【０１０９】
エラー訂正復号化回路８２でＣＩＲＣ４のエラー訂正処理が行われ、エラー訂正復号化回路８２からは、オーディオデータが出力される。このオーディオデータが出力端子８４から出力される。
【０１１０】
光ディスク１のプログラム領域ＰＡ２のコンテンツデータを再生する場合には、光学ピックアップ７７がプログラム領域ＰＡ２にアクセスされ、光学ピックアップ７７で、プログラム領域ＰＡ２の部分が再生される。この再生出力がＲＦアンプ７９、復調回路８０、サブコード抽出回路８１を介して、エラー訂正復号化回路８２に供給される。
【０１１１】
エラー訂正復号化回路８２でＣＩＲＣ４のエラー訂正処理が行われ、エラー訂正復号化回路８２からは、例えば、ＡＴＲＡＣ３で圧縮されたオーディオデータが暗号化されて出力される。エラー訂正復号化回路８２の出力が暗号復号化回路８３に供給される。暗号復号化回路８３で、暗号の復号化処理が行われる。暗号復号化回路８３の出力が出力端子８５から出力される。
【０１１２】
光ディスク１の領域ＡＲ２には、ＣＩＲＣ７方式でエラー訂正符号化されたデータが記録されており、このデータ中には、ＣＩＲＣ４方式でもＣＩＲＣ７方式でも復号可能なデータが所定の位置に所定ので含められる。
【０１１３】
光ディスク１がオリジナルのディスクであるかコピーされたディスクであるかを判断する場合には、光学ピックアップ７７が光ディスク１の領域ＡＲ２にアクセスされ、この領域ＡＲ２の再生データがエラー訂正復号化回路８２に供給される。エラー訂正復号化回路８２で、領域ＡＲ２の再生データに対して、ＣＩＲＣ４方式でエラー訂正処理が行われる。このエラー訂正処理の結果が判断回路８６に供給される。
【０１１４】
判断回路８６で、訂正不能なエラーのパターンが判断される。この判断回路８６の出力がシステムコントローラ８７に送られ、システムコントローラ８７で、光ディスク１がオリジナルのディスクであるかコピーされたディスクであるかが判断される。この判断結果が表示回路８８に表示される。
【０１１５】
すなわち、図１７は、光ディスク１がオリジナルのディスクであるかコピーされたディスクであるかを判断する場合の処理を示すフローチャートである。
【０１１６】
図１７において、所定位置のデータ、すなわち領域ＡＲ２の部分のデータが読み込まれる（ステップＳ１）。読み込まれた部分が訂正不能のエラーが発生する部分か否かが判断される（ステップＳ２）。
【０１１７】
ステップＳ２で、読み込まれた部分が訂正不能のエラーが発生する部分であると判断されたときには、ＣＩＲＣ４方式でエラー訂正処理を行った結果、訂正不能なエラーになっているか否かが判断される（ステップＳ３）。
【０１１８】
ステップＳ２で読み込まれた部分が訂正不能のエラーが発生する部分であると判断され、ステップＳ３でＣＩＲＣ４方式でエラー訂正処理を行った結果が訂正不能なエラーになっていると判断されたときには、他にチェックすべき部分があるか否かが判断され（ステップＳ４）、他にチェックすべき部分があれば、ステップＳ１にリターンされる。
【０１１９】
ステップＳ２で読み込まれた部分が訂正不能のエラーが発生する部分であると判断されたが、ステップＳ３でＣＩＲＣ４方式でエラー訂正処理を行った結果が訂正不能なエラーになっていないと判断されたときには、オリジナルのディスクではないと判断される（ステップＳ５）。
【０１２０】
ステップＳ２で、読み込まれた部分が訂正不能のエラーが発生する部分ではない、すなわち、ＣＩＲＣ４方式でもＣＩＲＣ７方式でも復号可能なデータの部分であると判断されたときには、ＣＩＲＣ４方式でエラー訂正処理を行った結果、訂正不能なエラーになっているか否かが判断される（ステップＳ６）。
【０１２１】
ステップＳ２で読み込まれた部分が訂正不能のエラーが発生する部分ではないと判断され、ステップＳ６でＣＩＲＣ４方式でエラー訂正処理を行った結果が訂正不能なエラーになっていないと判断されたときには、他にチェックすべき部分があるか否かが判断され（ステップＳ４）、他にチェックすべき部分があれば、ステップＳ１にリターンされる。
【０１２２】
ステップＳ２で読み込まれた部分が訂正不能のエラーが発生する部分であると判断されたが、ステップＳ７でＣＩＲＣ４方式でエラー訂正処理を行った結果が訂正不能なエラーになっていると判断されたときには、傷等によるエラーの可能性があるか否かが調べられ（ステップＳ７）、傷等によるエラーの可能性がないときには、オリジナルのディスクではないと判断される（ステップＳ５）。例えば、エラーが連続して数１００バイト発生したような場合には、傷などにより作られたエラーであると判断できる。ステップＳ８で、傷等によるエラーの可能性があると判断されたときには、ステップＳ４で、他にチェックすべき場所があるか否かが判断される。
【０１２３】
ステップＳ４で、他にチェックすべき場所があるか否かが判断され、他にチェックすべき場所があれば、ステップＳ１にリターンされ、上述の処理が繰り返される。チェックすべき場所の処理がすべて終わった結果、ステップＳ４に行ったら、オリジナルのディスクであると判断される（ステップＳ８）。
【０１２４】
なお、オリジナルのディスクではないと判定されたときには、例えば、その旨を表示することが考えられる。また、オリジナルでないときには、再生禁止とすることが考えられる。更に、オリジナルでないときには、ディスクをエジェクトすることが考えられる。
【０１２５】
以上説明したように、この発明が適用された光ディスクには、ＣＩＲＣ７でエラー訂正符号化されたデータが記録されている領域ＡＲ２に、ＣＩＲＣ４方式でもＣＩＲＣ７方式でも復号可能なデータを、所定の位置に、所定のパターンで記録するようにしている。このような光ディスクでは、ＣＩＲＣ４方式のエラー訂正復号化処理の結果と、オリジナルディスクでエラーとなるべき位置とエラーにならない位置とを対比させることで、オリジナルのディスクであるか否かを判断することができる。
【０１２６】
なお、上述の例では、ディスクとして、図１及び図２に示したように、内周の領域と外周の領域とが分かれており、一方にＣＤ−ＤＡのデータを記録し、他方に圧縮されたオーディオデータを暗号化して記録する２セッションのＣＤ２のディスクとしたが、図１８に示すように、１セッションの光ディスクとしても良いことは勿論である。
【０１２７】
図１８の例では、光ディスクの最内周には、第１のリードイン領域ＬＩが設けられ、その外周に、プログラム領域ＰＡが設けられ、プログラム領域ＰＡの外側に、リードアウト領域ＬＯが設けられる。プログラム領域は領域ＡＲ１１と領域ＡＲ１２とに分けられており、領域ＡＲ１１には、データがＣＩＲＣ４方式のエラー訂正符号によりエラー訂正符号化されて記録される。領域ＡＲ１２には、データがＣＩＲＣ７方式によりエラー訂正符号化されて記録されており、その中には、ＣＩＲＣ４方式でもＣＩＲＣ７方式でも復号可能なデータパターンが含められている。このようなディスクでは、領域ＡＲ１２のエラーパターンから、オリジナルのディスクかコピーされたディスクかを判断できる。
【０１２８】
また、上述の例では、ＣＩＲＣ４方式とＣＩＲＣ７方式とで復号可能なデータとして説明してきたが、垂直方向（Ｃ１系列）を単位として所定のデータが繰り返すような配置としたものは、同一の符号化構造なら、どのようなインターリーブ長でも、復号可能である。
【０１２９】
更に、複数のエラー訂正方式で復号可能なデータは、ＣＩＲＣのみならず、２系列にエラー訂正符号化するような他の符号化方式にも拡張して考えることができる。例えば、水平方向と垂直方向とに符号化を行う積符号の場合にも、ＣＩＲＣの場合と同様に、複数の符号化方式でも復号できるデータが考えられる。
【０１３０】
上述の例では、領域ＡＲ２にＣＩＲＣ７方式でエラー訂正符号化したデータを記録し、この領域ＡＲ２中に、ＣＩＲＣ７方式でもＣＩＲＣ４方式でも復号可能なデータのパターンを含めるようにして、オリジナルのディスクかコピーされたディスクかを判断するようにしているが、このパターンで、情報を表現することもできる。
【０１３１】
例えば、ディスクに固有の識別情報を付加することが考えられる。ディスクに固有の識別情報を付加するようにすれば、そのディスクの製造情報や出荷状況を管理していくことができる。また、この識別情報を利用して、バージョンアップの管理を行ったりすることが考えられる。勿論、各ディスク毎に固有の識別情報を付加することが考えられるが、スタンパを使って生産される再生専用のディスクの場合には、そのスタンパ毎に固有の識別情報としても良い。
【０１３２】
このようなディスクに固有の識別情報を付加するようにした場合、ディスクの識別情報がコピーされてしまうことがないようにする必要がある。
【０１３３】
そこで、 上述のＣＩＲＣ７方式の領域ＡＲ２に含められているＣＩＲＣ７方式でもＣＩＲＣ４方式でも復号可能なデータのパターンで、例えば、ディスクの識別情報を表現することが考えられる。
【０１３４】
すなわち、図１２に示したように、領域ＡＲ２では、部分ＢＡ１、ＢＡ２、ＢＡ３，…がＣＩＲＣ７方式でもＣＩＲＣ４方式でも復号可能なデータが記録されている部分であり、他の部分は、ＣＩＲＣ７方式でエラー訂正符号化されたデータが記録されている。この領域ＡＲ２を、再生時に、ＣＩＲＣ４方式でエラー訂正復号化すると、図１２に示すように、部分ＢＡ１、ＢＡ２、ＢＡ３，…が訂正不能なエラーにならない部分となり、他の部分が訂正不能なエラーになる部分となる。
【０１３５】
ＣＩＲＣ７方式の領域ＡＲ２中に、ＣＩＲＣ７方式でもＣＩＲＣ４方式でも復号可能なデータのパターンを設けて情報を表現する場合には、例えば、図１９に示すように、部分ＢＡ１、ＢＡ２、ＢＡ３，…（ＣＩＲＣ４で訂正不能なエラーにならない部分）を例えば「１」の情報とし、他の部分（ＣＩＲＣ４で訂正不能なエラーにならない部分）を例えば「０」の情報とし、このパターンの組み合わせにより、情報を表現する。勿論、ＣＩＲＣ４で訂正不能なエラーにならない部分を例えば「０」の情報とし、ＣＩＲＣ４で訂正不能なエラーにならない部分を例えば「１」の情報としても良い。このパターンの組み合わせにより、情報を表現する。
【０１３６】
このようにすると、再生時に、ＣＩＲＣ４方式でエラー訂正復号化すると、部分ＢＡ１、ＢＡ２、ＢＡ３，…が「１」となり、他の部分が「０」となる。これにより、情報がデコードできる。
【０１３７】
このＣＩＲＣ７方式でもＣＩＲＣ４方式でも復号可能なデータのパターンは、前述したように、コピーされると崩れてしまうことになる。したがって、ＣＩＲＣ７方式でもＣＩＲＣ４方式でも復号可能なデータのパターンにより表現される情報は、例えば、ディスクの識別情報として用いて好適である。
【０１３８】
勿論、ＣＩＲＣ７方式でもＣＩＲＣ４方式でも復号可能なデータのパターンにより表現される情報は、ディスクの識別情報に限られるものではない。特に、コピーされることを禁止するような情報を記録する場合には、非常に有用である。
【０１３９】
上述の例では、ＣＩＲＣ７方式の領域ＡＲ２中に、ＣＩＲＣ７方式でもＣＩＲＣ４方式でも復号可能なデータのパターンを含め、このＣＩＲＣ７方式でもＣＩＲＣ４方式でも復号可能なデータのパターンで情報を表現し、ＣＩＲＣ４方式で訂正不能なエラーとならない部分に、ＣＩＲＣ７方式でもＣＩＲＣ４方式でも復号可能なデータを記録している。ＣＩＲＣ７方式でもＣＩＲＣ４方式でも復号可能なデータとすると、前述したように、ＣＩＲＣ７方式のデータ中に、ＣＩＲＣ４方式で復号したときに訂正不能なエラーとならない部分を容易に形成できる。
【０１４０】
勿論、ＣＩＲＣ７方式でもＣＩＲＣ４方式でも復号可能なデータを使わず、ＣＩＲＣ７方式でエラー訂正符号化されたデータと、ＣＩＲＣ４方式でエラー訂正符号化されたデータとを、所定のパターンで記録し、このパターンで情報を表現するようにしても良い。
【０１４１】
なお、上述の例では、オリジナルのコンテンツデータがディスクに記録されており、このオリジナルのコンテンツデータが記録されたディスクがコピーされた場合について説明したが、この発明は、オリジナルのコンテンツデータをコンピュータネットワークを使って配信するような場合にも適用できる。
【０１４２】
すなわち、ネットワークを使って送られてくる音楽データをＣＩＲＣ４方式でエラー訂正符号化し、その中に、ＣＩＲＣ４方式では訂正不能になるパターンを含めておく。ＣＩＲＣ４方式では訂正不能になるパターンは、前述と同様に、ＣＩＲＣ７方式の領域を設け、このＣＩＲＣ７方式の領域に、ＣＩＲＣ４方式でもＣＩＲＣ７方式でも復号可能なデータを所定のパターンで挿入することで実現できる。勿論、前述と同様に、このパターンを情報として用いることができる。このようにすると、ダウンロードしたコンテンツデータ中には、ＣＩＲＣ４方式では訂正不能になるパターンが含められているが、このデータをコピーすると、ＣＩＲＣ４方式では訂正不能になるパターンが崩れることになる。
【０１４３】
ところで、 上述の光ディスク１において、領域ＡＲ２の部分は、ＣＩＲＣ７でエラー訂正符号化してデータに、ＣＩＲＣ４方式でもＣＩＲＣ７方式でも復号可能なデータが含められたものであり、この部分が誤って音として再生されてしまうと、不快な音となることが考えられる。そこで、この部分には、ＰＣＭ信号の上位ビットを全て０にして、或いは１にして、小さい音となるようにしておくことが考えられる。
【０１４４】
また、この部分で発生される音が直流や高周波であると、ユーザは気づきにくいため、ボリュームを上げてしまう危険性がある。そこで、０のデータと１のデータとを特定のパターンで埋め込み、可聴帯域の音を発生させることが考えられる。一例として、０と１とを７．３５ｋＨｚで繰り返すようにすることが考えられる。
【０１４５】
また、ＣＩＲＣの復号回路の中には、Ｃ１系列のエラーが発生しないと、Ｃ２系列のエラー訂正処理に移らないものがある。このような復号回路を有するドライブやプレーヤでの処理に備えて、領域ＡＲ２の部分に記録されるデータ中のＣＩＲＣ４方式でもＣＩＲＣ７方式でも復号可能なデータに、Ｃ１系列のエラーを含めておくことが考えられる。
【０１４６】
【発明の効果】
この発明では、データ記録媒体である光ディスクには、第１のエラー訂正符号であるＣＩＲＣ４方式でエラー訂正符号化されたデータが記録されている。そして、光ディスクには、ＣＩＲＣ７でデータがエラー訂正符号化される領域が設けられており、その中に、ＣＩＲＣ４方式でもＣＩＲＣ７方式でも復号可能なデータが所定の位置に所定のパターンで記録されている。
【０１４７】
オリジナルの光ディスクなら、このような光ディスクをＣＩＲＣ４方式のエラー訂正復号回路で復号すると、ＣＩＲＣ７でデータがエラー訂正符号化される領域では、訂正不能なエラーとなるが、その中でも、所定の位置に所定のパターンで記録されているＣＩＲＣ４方式でもＣＩＲＣ７方式でも復号可能なデータの部分では、訂正不能なエラーとならない。
【０１４８】
これに対して、このような光ディスクをＣＩＲＣ４方式の復号回路で復号してディスクコピーすると、ＣＩＲＣ７方式でエラー訂正符号化される領域で訂正不能なエラーが発生するため、機器が止まり、コピー不可能になる。或いは、コピーできたとしても、データが書き変わってしまう。
【０１４９】
したがって、コピーされた光ディスクなら、このような光ディスクをＣＩＲＣ４方式のエラー訂正復号回路で復号すると、オリジナルのディスクのように、所定の位置に所定のパターンで訂正不能なエラーが生じなくなる。
【０１５０】
したがって、第１のエラー訂正符号であるＣＩＲＣ４方式でデータが記録された光ディスクの中で、第２のエラー訂正符号であるＣＩＲＣ７方式でエラー訂正符号化された領域を再生し、再生されたデータをＣＩＲＣ４方式で復号し、復号した結果エラーとなる位置と、オリジナルのディスクならエラーとなるパターンとが一致しているか否かを判断することで、再生しているディスクがオリジナルか否かを判定することができる。
【０１５１】
また、第２のエラー訂正符号であるＣＩＲＣ７でデータがエラー訂正符号化される領域の中に、ＣＩＲＣ４方式でもＣＩＲＣ７方式でも復号可能なデータが所定の位置に所定のパターンで記録し、このパターンにより情報を記録しておく。このようにすると、第１のエラー訂正符号であるＣＩＲＣ４方式でデータが記録された光ディスクの中で、第２のエラー訂正符号であるＣＩＲＣ７方式でエラー訂正符号化された領域を再生し、再生されたデータをＣＩＲＣ４方式で復号し、復号した結果エラーとなるパターンから、ディスクの識別情報等の情報を得ることができる。
【図面の簡単な説明】
【図１】この発明が適用された光ディスクの説明に用いる平面図である。
【図２】この発明が適用された光ディスクの説明に用いる略線図である。
【図３】この発明が適用された光ディスクの説明に用いるブロック図である。
【図４】この発明が適用された光ディスクの説明に用いる略線図である。
【図５】この発明が適用された光ディスクの記録フォーマットの説明に用いる略線図である。
【図６】この発明が適用された光ディスクの記録フォーマットの説明に用いる略線図である。
【図７】この発明が適用された光ディスクの記録フォーマットの説明に用いる略線図である。
【図８】この発明が適用された光ディスクの記録フォーマットの説明に用いる略線図である。
【図９】ＣＩＲＣ４方式の場合のインターリーブの説明に用いる略線図である。
【図１０】ＣＩＲＣ７方式の場合のインターリーブの説明に用いる略線図である。
【図１１】ＣＩＲＣ４方式でもＣＩＲＣ７方式でも復号可能なデータの説明に用いる略線図である。
【図１２】この発明が適用された光ディスクの説明に用いる略線図である。
【図１３】この発明が適用された光ディスクの説明に用いるブロック図である。
【図１４】この発明が適用された光ディスクの説明に用いる略線図である。
【図１５】この発明が適用された光ディスク記録装置の一例のブロック図である。
【図１６】この発明が適用された光ディスク再生装置の一例のブロック図である。
【図１７】オリジナルのディスクであるか否かを判断するための処理の説明に用いるフローチャートである。
【図１８】この発明が適用された光ディスクの他の例の説明に用いるフローチャートである。
【図１９】この発明が適用された光ディスクの更に他の例の説明に用いる略線図である。
【符号の説明】
１・・・光ディスク、５３・・・暗号化回路、５４・・・エラー訂正符号化回路、５６・・・ＣＩＲＣ４／ＣＩＲＣ７データ発生回路、５８・・・ＣＩＲＣ７エラー訂正符号化回路、８２・・・ＣＩＲＣ４エラー訂正復号化回路、８３・・・暗号復号化回路、８６・・・判断回路
【図１】
0003829724.tif 000002
【図２】
0003829724.tif 000003
【図３】
0003829724.tif 000004
【図４】
0003829724.tif 000005
【図５】
0003829724.tif 000006
【図６】
0003829724.tif 000007
【図７】
0003829724.tif 000008
【図８】
0003829724.tif 000009
【図９】
0003829724.tif 000010
【図１０】
0003829724.tif 000011
【図１１】
0003829724.tif 000012
【図１２】
0003829724.tif 000013
【図１３】
0003829724.tif 000014
【図１４】
0003829724.tif 000015
【図１５】
0003829724.tif 000016
【図１６】
0003829724.tif 000017
【図１７】
0003829724.tif 000018
【図１８】
0003829724.tif 000019
【図１９】
0003829724.tif 000020